(57)【特許請求の範囲】
【請求項１】
玉送り用の螺旋溝を有する回転体と、この回転体の回転軸を水平状態に支承する筐体とを備える遊技機の玉払出装置において、
前記筐体内の内部上方には玉導入路を設け、筐体内の内部下方には玉計数センサーを有する玉払出通路を設けたうえに、玉導入路と玉払出通路との間に前記回転体を介装して、玉導入路に流れ込んだ玉を、回転体の回転により螺旋溝に順次取り込んで、この玉を回転体の軸方向に移送して一玉ずつ玉払出通路に払い出すようにした遊技機の玉払出装置であって、
回転軸の外周面と筐体の対向する二つの内側面との間に玉一個が水平移動可能な空間をそれぞれ設け、当該二つの空間に玉載せ台を配設して玉載せ台に仮保持された玉を螺旋溝が回転軸の軸方向に移送するようにしたうえに、螺旋溝によって押し下げられる側の玉が乗る玉載せ台の玉払出側の長さを、螺旋溝によって押し上げられる側の玉が乗る玉載せ台の玉払出側の長さよりも短く形成したことを特徴とする遊技機の玉払出装置。  
【請求項２】
玉送り用の螺旋溝を有する回転体と、この回転体の回転軸を水平状態に支承する筐体とを備える遊技機の玉払出装置において、
前記筐体内の内部上方には玉導入路を設け、筐体内の内部下方には玉計数センサーを有する玉払出通路を設けたうえに、玉導入路と玉払出通路との間に前記回転体を介装して、玉導入路に流れ込んだ玉を、回転体の回転により螺旋溝に順次取り込んで、この玉を回転体の軸方向に移送して一玉ずつ玉払出通路に払い出すようにした遊技機の玉払出装置であって、
回転軸の外周面と筐体の対向する二つの内側面との間に玉一個が水平移動可能な空間をそれぞれ設け、当該二つの空間に玉載せ台を配設して玉載せ台に仮保持された玉を螺旋溝が回転軸の軸方向に移送するようにしたうえに、螺旋溝によって押し下げられる側の玉が乗る玉載せ台側にのみ、玉の螺旋溝からの離脱を早める逃げ空間を設けたことを特徴とする遊技機の玉払出装置。
【請求項３】
回転体を、捲き線が捲回されたコイルバネと、このコイルバネの内部に挿入された円柱状の回転軸とからなるものとしたうえに、捲き線部間の間隔を玉が入り込み可能な幅として螺旋溝を形成した請求項１又は２に記載の遊技機の玉払出装置。
【発明の詳細な説明】
【技術分野】
【０００１】
本発明は、上流の玉タンクから送り込まれた玉を賞玉として一玉ずつ払い出すための遊技機の玉払出装置に関するものである。
【背景技術】
【０００２】
パチンコ機の裏面には、機構盤が設けられ、この機構盤の上部には賞玉を貯留するための玉タンクが配設されている。玉タンクの下方には玉通路樋が接続されている。従来、玉通路樋（玉整列レール）によって整列（特に一段に整列）させてから玉払出装置で払い出すものがあった。しかし、２段から１段に整列させる部分で玉噛みが起こるので、その部分に揺動する錘をぶら下げたり（特許文献１）、振動させたり（特許文献２、３）して、玉噛みを解消していた。しかし、前者は確実性に欠け、後者は別途動力が必要になるという問題があった。
そこで、後者の玉崩し用の動力を払出用の動力で賄う、つまり、無整列のままの玉タンクから直接玉払出装置で崩しながら整列させて払い出すものが考えられている（特許文献４）。しかし、無整列のままであると、図８に示すようなアーチ（トンネル）状の玉噛みが起こる可能性を排除することが出来なかった。
【０００３】
さらに、玉噛みを防止した場合においても、玉がつながって連続して排出されるとフォトセンサーなどの光の通過が不可能となって、玉を個別に識別することができず、玉の計数に誤差が生じて玉を余計に払い出してしまう。したがって、前後の玉間に隙間をもたせて払い出すことが必要となる。
【先行技術文献】
【特許文献】
【０００４】
【特許文献１】特開平０７−０３１７１９号公報
【特許文献２】特開平０７−０９６０７７号公報
【特許文献３】特開平０８−１４１１７６号公報
【特許文献４】特開２０００−１８９６１８号公報
【発明の概要】
【発明が解決しようとする課題】
【０００５】
本発明は、上記した従来の問題点に鑑み、玉間に隙間をもたせることで、玉計数を正確に行って玉を払い出すことができ、さらに、玉払出通路で玉噛みすることがない遊技機の玉払出装置を提供することを課題とする。
【課題を解決するための手段】
【０００６】
上記の課題を解決するためになされた本発明に係る遊技機の玉払出装置は、玉送り用の螺旋溝を有する回転体と、この回転体の回転軸を水平状態に支承する筐体とを備える遊技機の玉払出装置において、
前記筐体内の内部上方には玉導入路を設け、筐体内の内部下方には玉計数センサーを有する玉払出通路を設けたうえに、玉導入路と玉払出通路との間に前記回転体を介装して、玉導入路に流れ込んだ玉を、回転体の回転により螺旋溝に順次取り込んで、この玉を回転体の軸方向に移送して一玉ずつ玉払出通路に払い出すようにした遊技機の玉払出装置であって、
回転軸の外周面と筐体の対向する二つの内側面との間に玉一個が水平移動可能な空間をそれぞれ設け、当該二つの空間に玉載せ台を配設して玉載せ台に仮保持された玉を螺旋溝が回転軸の軸方向に移送するようにしたうえに、螺旋溝によって押し下げられる側の玉が乗る玉載せ台の玉払出側の長さを、螺旋溝によって押し上げられる側の玉が乗る玉載せ台の玉払出側の長さよりも短く形成したことを特徴とするものである。
【０００７】
また、本発明の遊技機の玉払出装置は、玉送り用の螺旋溝を有する回転体と、この回転体の回転軸を水平状態に支承する筐体とを備える遊技機の玉払出装置において、
前記筐体内の内部上方には玉導入路を設け、筐体内の内部下方には玉計数センサーを有する玉払出通路を設けたうえに、玉導入路と玉払出通路との間に前記回転体を介装して、玉導入路に流れ込んだ玉を、回転体の回転により螺旋溝に順次取り込んで、この玉を回転体の軸方向に移送して一玉ずつ玉払出通路に払い出すようにした遊技機の玉払出装置であって、
回転軸の外周面と筐体の対向する二つの内側面との間に玉一個が水平移動可能な空間をそれぞれ設け、当該二つの空間に玉載せ台を配設して玉載せ台に仮保持された玉を螺旋溝が回転軸の軸方向に移送するようにしたうえに、螺旋溝によって押し下げられる側の玉が乗る玉載せ台側にのみ、玉の螺旋溝からの離脱を早める逃げ空間を設けたことを特徴とするものである。
【０００８】
上記した発明において、回転体を、捲き線が捲回されたコイルバネと、このコイルバネの内部に挿入された円柱状の回転軸とからなるものとしたうえに、捲き線部間の間隔を玉が入り込み可能な幅として螺旋溝を形成することができる。
【発明の効果】
【０００９】
請求項１に係る玉払出装置は、二つの玉受け棚の玉払出側の長さを調整したので、回転体からの払い出しに際して前後の玉間に隙間を持たせて計数センサーを通過させることができるので、玉計数を正確に行って玉を払い出すことができる。さらに、玉払出通路で前後の玉と重なることがないので玉噛みを防止することができる。
請求項２に係る玉払出装置は、螺旋溝によって押し下げられる側の玉が乗る玉載せ台側にのみ、玉の逃げ空間を設けたので、玉を早期に開放して請求項1と同様の効果を得る事ができる。
請求項３に係る発明は、安価にして耐久性に優れた回転体を提供することができる。
【図面の簡単な説明】
【００１０】
【図１】玉払出装置の正面の断面図である。
【図２】玉払出装置の側面の断面図である。
【図３】玉払出装置の平面の断面図である。
【図４】筐体の構造を示す正面の断面図である。
【図５】回転体の構造を示す正面の断面図である。
【図６】玉通路装置の正面図である。
【図７】玉通路装置の平面図である。
【図８】アーチ状の玉詰まり状態を示す玉通路樋の断面図である。
【発明を実施するための形態】
【００１１】
以下に、本発明の実施形態に付いて説明する。
図１〜５は、本発明の玉払出装置を示す図であって、玉払出装置４は、モータＭにより回転される回転体５と、回転体５の回転軸７を水平状態に支承する筐体６とからなる。回転体５は、モータＭの軸に接続された円柱状の回転軸７と、回転軸７が内部に挿入されたコイルバネ８とからなる。
【００１２】
筐体６は、上部に玉通路樋３からの玉を取り込む玉入り口６１と、これに連通する玉導入路６８を有し、下部には玉計数センサー６２を備えた玉払出通路６３が筐体６の一方の側面に寄せて形成されている（図１）。６４は、メンテナンス等でパチンコ機内の玉を抜くときの玉抜き通路であって、遊技中は用いられない。玉を抜くときはモータＭは逆回転される。
【００１３】
回転軸７は、モータＭの回転軸Ｍ１に取り付けられた基端側軸部７１と、これに接続された先端側軸部７２とからなる。先端側軸部７２は一端にスナップフィット部７３を有し、このスナップフィット部７３が基端側軸部７１に形成した小径部７４に嵌め込まれて一体に構成されている。この回転軸７はコイルバネ８の内部に挿入されている。コイルバネ８の一端は基端側軸部７１の鍔部７５に掛止され、他端は先端側軸部７２の鍔部７６を押圧している。コイルバネ８の弾発力により鍔部７５、７６間が拡大される方向に付勢されていて、基端側軸部７１と先端側軸部７２とコイルバネ８とがスクリュー構造を有する一体の玉払出用の回転体５となしてある。コイルバネ８の捲き線部間には、玉の移送が可能な螺旋溝８１が形成されている。
【００１４】
この回転体５の回転軸７が、玉導入路６８の下部で、玉抜き通路６４と玉払出通路６３の上部の筐体６内に水平状態に架け渡されている。よって、モータＭの回転軸Ｍ１と対向する軸受け９にはスラスト方向の力が掛かることがないので、モータＭに掛かる負荷を軽減して円滑に玉を払い出すことができる。
【００１５】
筐体６の玉入り口６１は、幅、高さとも玉２個分超〜３個分未満としてあって、二個の玉による玉詰まりを防止してある。玉導入路６８は、横断面形状が正方形乃至矩形であって、その横幅、高さ（又は縦幅）は玉入り口６１と同じく玉２個分超〜３個分未満として玉詰まりを防止してある。
【００１６】
回転軸７の外周面７７と筐体６の対向する二つの内側面６７ａ、６７ｂとの間には玉一個が連続して水平移動可能な空間７０ａ、７０ｂがそれぞれ設けられている（図２）。これら二つの空間内で回転軸７の両サイドには、玉載せ台６５ａ、６５ｂが設けてあって、玉入り口６１から取り込まれた玉が玉載せ台６５ａ、６５ｂの上に落下して一時仮保持される。玉載せ台６５ａ、６５ｂに仮保持された玉は、螺旋溝８１によって回転軸７の軸方向に移送される。このとき、回転体７の回転によって螺旋溝８１から斜め上方向の力を受ける側（６５ａ側）の玉は、螺旋溝８１の形状効果で、落下が早まる。一方、螺旋溝８１から斜め下方向の力を受ける側（６５ｂ側）の玉は、同じく形状効果で落下が遅れる。これにより、６５ａ側からの玉を玉計数センサー６２で検知してから６５ｂ側からの玉を検知するまでの間隔（Ｌ１）と、６５ｂ側からの玉を検知してから６５ａ側からの玉を検知するまでの間隔（Ｌ２）とを比較すると、玉載せ台６５ａ、６５ｂの玉払出側の長さが同じ長さの場合はＬ１＞Ｌ２となるので、Ｌ２の時に６５b側からの玉と６５a側からの玉とが玉払出通路６３で玉噛みをおこす可能性がある。さらに、所定数（例えば１０玉）の払い出しを行う場合、６５b側からの玉を１０玉目として玉計数センサー６２で検知して回転体５を停止した場合、６５a側からの玉が既に螺旋溝８１から離れてしまっていて１玉余分に払い出されることで正確な払い出しができない可能性がある。そこで、玉載せ台６５bの玉払出側の長さは他方の玉載せ台６５aの玉払出側の長さよりも短く（図３中のＸ分）形成して玉の落下を早めるようにしてある。こうすることによって後続玉との間に隙間を設けることができるので、玉払出通路６３で玉噛みをおこすことなく、玉の数を正確に計数することができる。
【００１７】
さらに、Ｘは、Ｌ１とＬ２とが同一になり常に一定の間隔でもって払い出しを行うことができるものであることが望ましい。
例えば、モータＭがＳ（ステップ／１回転）、コイルバネ８のピッチがＰ（ｍｍ）、両方の玉載せ台６５ａ、６５ｂの玉払出側の長さが同じ長さだった場合のＬ１をｔ（ステップ）とする。
このとき、１（ステップ）で玉が回転軸７の軸方向に移送される距離は、
Ｐ／Ｓ（ｍｍ／ステップ）  ・・・  （１）
また、Ｌ１＝Ｌ２＝Ｓ／２（ステップ）であるので、
Ｘ＝ｔ−Ｓ／２（ステップ）  ・・・  （２）
よって、（１）と（２）より、
Ｘ＝Ｐ／Ｓ（ｔ−Ｓ／２）（ｍｍ）
となり、このＸ分だけ玉載せ台６５bの玉払出側の長さを短くすることで、常に一定の間隔で払い出しを行うことができる。
【００１８】
また、螺旋溝８１の回転によって玉が下方に押し下げられる空間７０bには、玉載せ台６５bに隣接して玉の逃げ空間６９が設けてある。この逃げ空間6９に玉を逃がすことによって、玉を早期に開放して、６５ｂを短くした時と同様の効果を得て、玉が後続玉とつながって落下するのを防止することができる。
【００１９】
以上のような玉払出装置は、図６，７に示すような玉通路樋３の下流側端部に配設することができる。玉通路樋３は、凹状に形成されていて、横幅が玉２個分超〜３個分未満（玉直径が１１ｍｍの場合には、２２ｍｍ超〜３３ｍｍ未満）である。玉通路樋３の底面は中央が高く長手方向に伸びる山形突条３１が形成されていて、この両側が玉案内溝３２となっている。また、側面３３の高さも玉２個分超〜３個分未満としてあって、蓋３４を施したときにもこの高さは確保されている。このように玉通路樋３の幅や高さを玉二個分より大なるものとしたので、二つの玉が横方向あるいは上下方向に並んで引き起こす玉詰まりを完全に防止することができる。
【００２０】
以上のように構成されたものにおいて、玉通路樋３内を２段２列以上３段３列未満の状態に整理されて下流に流下する。そして、玉は玉入り口６１から筐体６内に流れ込む。玉の払い出し状態においては回転体５の回転により玉列は撹拌されながら崩されるので、玉導入路６８には玉が完全に充満せず撹拌移動が可能な遊び空間が残されていることが必要である。回転体５の回転により玉はコイルバネ８の捲き線部間に入り込む。入り込んだ玉は回転軸７の両隣に設けられた玉載せ台６５ａ、６５ｂ上に落下して螺旋構造のコイルバネ８により回転軸７の軸方向に移送される。
【００２１】
回転軸５の左右の玉載せ台６５ａ、６５ｂ上の玉は捲き線が螺旋状に巻かれている分玉の位置がずれるので、玉載せ台６５ａ、６５ｂから交互に玉払出通路６３に落下する。落下に際して、玉は玉載せ台６５ａ、６５ｂの玉払出側の長さ、逃げ空間６９によって落下のタイミングを調整されるので、前後の玉との間に計数用の隙間を持たせて落下させることができる。よって、玉計数センサー６２は通過した玉の数を正確に計数することができ、所定数に達したときに回転体５の回転が停止されて玉の払出が終了する。
【符号の説明】
【００２２】
５  回転体、６  筐体、７  回転軸、８  コイルバネ、６２  玉計数センサー、６３  玉払出通路、６８  玉導入路
【図１】
0005386717.tif 000002
【図２】
0005386717.tif 000003
【図３】
0005386717.tif 000004
【図４】
0005386717.tif 000005
【図５】
0005386717.tif 000006
【図６】
0005386717.tif 000007
【図７】
0005386717.tif 000008
【図８】
0005386717.tif 000009